(57)【要約】【課題】特許文献１、２の問題点に鑑み、戸先部側の端部に挿通した固着具の螺子頭を覆い隠すためのカバー或いはカバー部分が不要であると共に、取付け台座のフランジ部分がドアの開口部の縁部から「浮き上がる（離れ現象）」を確実に防止することができること。【解決手段】錠箱を内装したドアの自由端部の壁面に装着され、かつ把手の基端部を軸支する枢軸を基準として、その一端部が固着具を介して固定される把手付取付け台座に於いて、前記取付け台座の他端部にその裏面から水平方向に延び、かつ前記錠箱の幅広側壁に形成した取付け孔に嵌入する嵌合突起を設けたことを特徴とする把手付取付け台座。【選択図】図１
2009144474.tif 000002
【特許請求の範囲】
【請求項１】
錠箱を内装したドアの自由端部の壁面に装着され、かつ把手の基端部を軸支する枢軸を基準として、その一端部が固着具を介して固定される把手付取付け台座に於いて、前記取付け台座の他端部にその裏面から水平方向に延び、かつ前記錠箱の幅広側壁に形成した取付け孔に嵌入する嵌合突起を設けたことを特徴とする把手付取付け台座。
【請求項２】
錠箱を内装したドアの自由端部の内外の壁面に嵌合状態で装着され、かつ把手の基端部を軸支する枢軸を基準として、その一端部が互いに固着具を介して連結固定される把手付内外の取付け台座に於いて、前記取付け台座の他端部に、その裏面から水平方向に延び、かつ前記錠箱の両方の幅広側壁にそれぞれ形成した取付け孔にそれぞれ嵌入する内外の嵌合突起を設けたことを特徴とする把手付取付け台座。
【請求項３】
請求項２に於いて、錠箱の幅広側壁に形成した取付け孔は、ドアの自由端部に形成した把手付取付け台座装着用の開口部から見えることを特徴とするプッシュプル式把手付取付け台座。
【発明の詳細な説明】
【技術分野】
【０００１】
本発明は、把手付取付け台座に関する。
【背景技術】
【０００２】
特許文献１の図１２には、「扉の内外の壁面に対する内外の把手付取付け台座を、固着具を介して連結固定する事項」が示されている。この特許文献１の意匠上の問題点は、例えば内側の把手付取付け台座の外面（表面）から、前記固着具の螺子頭が見えることである。
【０００３】
また、特許文献２には、本願発明の実施例と同様に、把手付取付け台座の一例が開示されている。この特許文献２に記載のものは、「錠箱を内装したドアの自由端部の壁面に装着され、かつ把手の基端部を軸支する枢軸を基準として、その一端部（戸尻部側の端部）及び他端部（戸先側の端部）の両方を、それぞれ固着具を介して連結固定する構造」である。この特許文献２に記載の取付け台座は、プッシュプル式把手を引いても、又は押しても、内外の取付け台座は、戸尻部側の一端部及び戸先側の他端部の両方がそれぞれ固着具で連結されていることから、取付け台座のフランジ部分がドアの開口部の縁部から「浮き上がる（離れ現象）」ことはない。
【０００４】
しかしながら、戸先側の端部には、特許文献１と同様に固着具の螺子頭が表れるので、この螺子頭を覆い隠すために、例えば内側把手の戸先側の端部を内側取付け台座の先端面まで延ばし、かつ、内側把手が基準軸を支点に回動することができるように、前記内側把手の戸先側の他端部の外面に逃がし用の凹所や切欠部を形成する必要があるという難点がある。
【特許文献１】特開平１１−５０７０７号公報
【特許文献２】特開２００６−２５７６５１号公報
【発明の開示】
【発明が解決しようとする課題】
【０００５】
本発明の所期の目的は、特許文献１、２の問題点に鑑み、戸先部側の端部に挿通した固着具の螺子頭を覆い隠すためのカバー或いはカバー部分が不要であると共に、取付け台座のフランジ部分がドアの開口部の縁部から「浮き上がる（離れ現象）」を確実に防止することができることである。
【課題を解決するための手段】
【０００６】
本発明の把手付取付け台座は、錠箱を内装したドアの自由端部の壁面に装着され、かつ把手の基端部を軸支する枢軸を基準として、その一端部が固着具を介して固定される把手付取付け台座に於いて、前記取付け台座の他端部にその裏面から水平方向に延び、かつ前記錠箱の幅広側壁に形成した取付け孔に嵌入する嵌合突起を設けたことを特徴とする。具体的には、錠箱を内装したドアの自由端部の内外の壁面に嵌合状態で装着され、かつ把手の基端部を軸支する枢軸を基準として、その一端部が互いに固着具を介して連結固定される把手付内外の取付け台座に於いて、前記取付け台座の他端部に、その裏面から水平方向に延び、かつ前記錠箱の両方の幅広側壁にそれぞれ形成した取付け孔にそれぞれ嵌入する内外の嵌合突起を設けたことを特徴とする。
【０００７】
ここで、「錠箱の幅広側壁」の概念には、錠箱の幅広側壁そのもの、また、錠箱の幅広側壁の外壁面に対向するように添設し、かつ取付け孔を有する軸受け板や所定形状の支持板も含まれる。
【発明の効果】
【０００８】
（ａ）図８は、例えば内外の把手１８、１９の操作端部１８ｂ、１９ｂを操作する者の手前側に引いた（プル）場合の説明図である。矢印で示すように、内外の把手１８、１９の操作端部１８ｂ、１９ｂをプル操作すると、内外の把手１８、１９は、それぞれ枢軸２０を支点にして所定量回転する。この時、内側の把手１８のプル操作で、戸尻部側の端部１６の開口部１２の縁部１４に対する「浮き上がり（離れ現象）」は、ドアの壁面よりも奥に位置する錠箱３の取付け孔８と内側の把手付取付け台座４の嵌合突起３２の当接関係で確実（効率的）に防止される。付言すると、錠箱３の取付け孔８の内周面に把手付取付け台座４の嵌合突起３２から把手の操作力の分力を受けるので、前記取付け孔８の内周面が、把手付取付け台座４の嵌合突起３２に対するストッパーの機能を果たす。この「浮き上がり（離れ現象）」を防止する効果は、外側の把手１９のプル操作の場合も同様である。
（ｂ）図９は、例えば内外の把手１８、１９の操作端部１８ｂ、１９ｂを操作する者の向こう側に押した（プッシュ）場合の説明図である。矢印で示すように、内外の把手１８、１９の操作端部１８ｂ、１９ｂをプッシュ操作すると、内外の把手１８、１９は、それぞれ枢軸２０を支点にして所定量回転する。この時、内側の把手１８のプッシュ操作で、戸先部側の端部１７の開口部１２の縁部１５に対する「浮き上がり（離れ現象）」は、ドアの壁面よりも奥に位置する錠箱３の取付け孔８と内側の把手付取付け台座４の嵌合突起３２の当接関係で確実（効率的）に防止される。付言すると、錠箱３の取付け孔８の内周面に把手付取付け台座４の嵌合突起３２から把手の操作力の分力を受けるので、前記取付け孔８の内周面が、把手付取付け台座４の嵌合突起３２に対するストッパーの機能を果たす。この「浮き上がり（離れ現象）」を防止する効果は、外側の把手１９のプッシュ操作の場合も同様である。
（ｃ）内外の取付け台座４、５のいずれか一方の戸先部側の端部は、錠箱に形成した取付け孔に、その嵌合突起が嵌入しているので、或いは内外の取付け台座４、５の戸先部側の端部は、固着具を介して互いに連結固定されていないので、従来の特許文献１に記載のように、固着具の螺子頭が表れず、意匠上の美観に優れていると共に、従来の特許文献２に記載のように、前記固着具の螺子頭を覆い隠すためのカバーやカバー部分が不要となる。
（ｄ）請求項３に記載の発明は、錠箱の取付け孔が見えるので、ドアに対する内外の取付け台座４、５の取付けが非常に容易である。
【発明を実施するための最良の形態】
【０００９】
以下、図１乃至図９に示す本発明を実施するための最良の形態により説明する。
【００１０】
（１）発明の実施の基本的な環境
図１は室内から見た実施環境の説明図である。図２は、図１の２−２線に基づく実施環境の概略断面説明図、図３は、図１の３−３線に基づく実施環境の概略断面説明図、図４は、室内側から概略的見た主要部の説明図である。
【００１１】
まず、図１乃至図４を参照にして、発明の実施の基本的な環境を説明する。１は蝶番等を介して開閉するドア（扉、開き戸等と称される開閉体）、２はドアの自由端部、２ａはドアの内壁、２ｂはドアの外壁、３はドアの自由端部に設けられた（例えば彫り込み型）錠箱、４は、例えばプッシュプル式の把手付取付け台座（ここでは、「内側の把手付取付け台座」）、５は、例えばプッシュプル式の把手付取付け台座（ここでは、「外側の把手付取付け台座」）である。
【００１２】
（２）錠箱３
錠箱３は、室内ドア、例えばトイレのドアの自由端部に取付けられる。普通一般に、室内ドアの自由端部に取付けられる錠箱３は、サムターンと称される簡易式操作部材を備え、トイレの内側（室内側）からサムターン摘みを操作すると、錠箱内装の図示しないロック機構がロックされ、内外の把手が直接又は間接的にロックされる。
【００１３】
また、錠箱内装のロック機構は、サムターン摘みにサムターン軸を介して一体的に接続する外側（室外側）の回転操作盤を、例えば硬貨の外周縁を用いて所定方向に回転すると、把手のロック状態が解除される。さらに、錠箱３は、周知のように、幅広側壁を有するケース身とケース蓋とから構成され、フロントから突出しかつ戸枠の受け具と係脱するラッチを備えている。
【００１４】
ここでは、図４を参照にして、錠箱３の各部位に符号を付す。６はケース身（ケース蓋も同様）の幅広側壁で、この幅広側壁６の中央部には、サムターン用のやや大きめの軸孔７が形成されている。この操作部材用軸孔７を基準として、幅広側壁６の上下の部位には、上下一対の取付け孔８がそれぞれ形成されている。さらに、取付け孔８よりも後方側の幅広側壁６の上端部と下端部或いは上端部と下端部のいずれかには、駆動片用の窓９が形成されている。なお、１０はフロント、１１はラッチである。その他の細部的事項の説明は割愛する。
【００１５】
（３）ドア１、錠箱３
図２及び図３を参照にして、ドア１の構造と共に、ドア１に対する錠箱３及び内外の把手付取付け台座４，５のそれぞれの位置関係を説明する。図２及び図３に於いて、符号Ａは室内側、符号Ｂは室外側、２はドア１の自由端部である。この自由端部２には、ドアの内壁２ａからドアの外壁２ｂに亘って取付け座装着用の矩形状開口部１２が形成されている。また、ドア１の自由端部２には、戸先面から切欠されかつ前記開口部１２に連通する錠箱内装用の収容部１３が形成されている。
【００１６】
フロント１０が戸先面に位置付けられる錠箱３は、収容部１３乃至開口部１２の一部（本実施例では開口部１２の先端部側の略半分）に嵌め込まれている。付言すると、本実施例では、錠箱３の軸孔７、取付け孔８及び窓９を有する幅広側壁６の部位は、自由端部２の収容部１３から突出して開口部１２の先端部側に位置している。それ故に、内外の把手付取付け台座４，５をドア１の開口部１２に嵌め込む前は、錠箱３の軸孔７、取付け孔８等が見える。
【００１７】
（４）内外の把手付取付け台座４，５
内外の把手付取付け台座４，５は、ドア１の自由端部２の開口部１２を形成する戸尻部側の縁部１４と戸先側の縁部１５に、フランジ部分を介して、ドア１の内外の壁面２ａ、２ｂに嵌合状態に装着される。ここでは、説明の便宜上、符号１６を内外の把手付取付け台座４，５のフランジ状の一端部（実施例では戸尻部側の端部）、符号１７を内外の把手付取付け台座４，５のフランジ状の他端部（実施例では戸先側の端部）とする。
【００１８】
また、内外の把手付取付け台座４，５は、それぞれ内外の把手１８，１９を備え、内外の把手１８，１９の各基端部１８ａ、１９ａは、内外の枢軸（基準軸）２０にそれぞれ軸支されている。ここでは、符号１８を内側の把手付取付け台座４の把手、一方、符号１９を外側の把手付取付け台座５の把手とする。
【００１９】
内外の把手１８，１９をそれぞれ軸支する縦方向の枢軸２０を基準として、内外の把手付取付け台座４，５の各一端部は、垂直方向に複数本の固着具２１を介して互いに連結固定されている。また、内外の把手付取付け台座４，５の構造は、同一なので、ここでは、内側の把手付取付け台座４の構造を説明し、外側の把手付取付け台座５のそれに関しては、特に付した符号を除き、同一の符号を付して重複する説明を省略する。なお、符号１９ａは外側の把手１９の基端部、１９ｂは外側の把手１９の操作端部である。
【００２０】
（５）把手付取付け台座の具体的構成
図１は内側の把手付取付け台座４の正面図であり、内側の把手１８の上端部側を切欠いている。また、図４は把手付取付け台座４を基準にして、その内面側に錠箱３を、一方、その外面側に内側の把手１８をそれぞれ斜視で示している。図５及び図６は、図１を基準にした各概略断面図である。そして、図７は把手付取付け台座４の背面図である。
【００２１】
まず、図１を参照にして説明すると、把手付取付け台座４は、その外周部（四辺の縁部）がドア１の開口部１２から食み出る大きさの正面視矩形状に形成されている。付言すると、把手付取付け台座４の左右の縁部と上下の縁部は、ドア１の開口部１２に対するフランジと成る。
【００２２】
次に、図４乃至図７を参照にして説明すると、一端部（戸尻部側の端部）１６の垂直部分は、他端部（実施例では戸先側の端部）１７の垂直部分とは同一垂直面上に位置せず、一端部１６の方が背面（内面）側に落ち込んでいる。
【００２３】
換言すれば、他端部１７の垂直部分の方が、一端部１６の垂直部分よりも厚みがある。そして、横断面形状の細部的事項の説明は割愛するが、他端部１７の垂直部分から一端部（戸尻部側）１６の固着具用連結部分２５ａに至るまで、複数の段差部分を繰り返して正面向き凹所状のくり抜き部２５を形成している。
【００２４】
この抜き部２５に内側の把手１８が軸受け部分並びに枢軸２０を介して組み込まれると、把手１８の外面（表面）と把手付取付け台座４の逆向きコ字形状の外面（表面）は、実質的に段差のない同一垂直面上に位置する外観表面を呈すると共に、前記抜き部２５は把手１８の所要回転を許容する。
【００２５】
しかして、一端部１７に傾斜状部分を介して連設する一番奥の固着具用連結部分２５ａには、垂直方向に所要間隔離間して複数本の固着具（止め具）２１用の貫通小孔２６が設けられている。これらの貫通小孔２６の一つは、オス又はメスの位置決め係合部であっても良いが、戸尻部側の一端部１７には、その形態如何を問わず、内外の把手付取付け台座４、５を、前記固着具（止め具）２１を介して連結固定するための固着具用連結部分２５ａが存在する。
【００２６】
これに対して、他端部（戸先側）１７に連設する一番手前側の垂直段差部分２５ｂの上下の部位には、組み付け時、前述した錠箱３の窓９に符合し、かつ後述する把手１８の軸受け部分３３が遊嵌合する矩形状の貫通嵌合孔２７が形成されている。この貫通嵌合孔２７を形成する上下の内壁には、枢軸２０用の不番軸穴が形成されている。上下の枢軸２０は、それぞれ嵌合孔２７内に垂設軸架される。
【００２７】
さて、他端部（戸先側）１７の肉厚状垂直部分の中央部には、操作部材用の軸孔３１が形成されている。この操作部材用の軸孔３１は、錠箱３の操作部材用軸孔７と符合する。これらの操作部材用軸孔３１、軸孔７には、図２で示すように、操作部材４０（サムターン摘み４１、回転操作盤４２、該回転操作盤４２と前記サムターン摘み４１を連結するサムターン軸４３）が挿通する。
【００２８】
ところで、この図２には、内外の一組の軸受け板４４が錠箱３の幅広側壁６の外面と把手付取付け台座４、５の内面との間にそれぞれサンドイッチ状に配設され、少なくとも操作部材４０を構成するサムターン軸４３の両端部を支持している。付言すると、これらの一組の軸受け板４４は、後端部に至る中途部で折り曲げ形成され、その後端部側は、台座軸受け部分２５ｂの内面に当接し、枢軸２０が把手１８の軸受け部分３３の縦軸溝から外れないように支持機能を付与している。しかしながら、本実施例では、一組の軸受け板４４は、後述する取付け台座４側の嵌合突起とは直接関与（係合）していない。
【００２９】
また、他端部（戸先側）１７の中央部寄りの部位或いは操作部材用軸孔３１を基準とする上下の部位の裏面（内面）には、その裏面から水平方向に延び、かつ錠箱３の幅広側壁６に形成した複数個の取付け孔８にそれぞれ嵌入する複数個のピン状或いは鉤状の嵌合突起３２を設けている。本実施例では、嵌合突起３２は、ピン状に形成され、上下に合計２本設けられている。
【００３０】
最後に、図４は内側の把手１８の外観を示しているが、把手１８は、その基端部１８ａの内面の上端部と下端部に、上下一対のブロック状軸受け部分３３に水平方向に連設するアーム状の駆動片３４を有している。これらの駆動片３４は、把手付取付け台座の嵌合孔２７及び錠箱３の窓９をそれぞれ貫通して、錠箱３の内部に至る。なお、把手１８の基端部１８ａの反対側の端部１８ｂは、指の操作端部と成る。
【実施例】
【００３１】
発明の実施の形態で示した実施例に於いて、把手付取付け台座４、５の外形形状は正面視矩形状であるが、正面視円形に形成することもできる。また、把手付取付け台座４、５の嵌合突起３２はピン状に形成されているが、嵌合突起３２の外形形状も、発明の目的の範囲内で任意に設計変更することができる。
【００３２】
さらに、本発明では、錠箱３の幅広側壁６そのものに、単数又は複数個(実施例)の取付け孔８を形成するが、錠箱の幅広側壁の外壁面に対向するように添設された操作部材用の軸受け板４４を所要長さに形成し、この軸受け板４４に嵌合突起３２が嵌合する単数又は複数個の取付け孔８を形成しても良い。
【００３３】
したがって、「錠箱の幅広側壁」の概念には、錠箱の幅広側壁そのもの、また、錠箱の幅広側壁の外壁面に対向するように添設し、かつ取付け孔を有する軸受け板や所定形状の支持板も含まれる。加えて、本実施例では、プッシュプル式の把手を例にして説明したが、把手はプッシュプル式に限定されず、取り付け台座の形態や各種条件を考慮して適宜に選択される事項である。
【産業上の利用可能性】
【００３４】
本発明は、主に錠前や建具の業界で利用される。
【図面の簡単な説明】
【００３５】
図１乃至図９は本発明の最良の実施例を示す各説明図。
【図１】室内から見た実施環境の説明図。
【図２】図１の２−２線に基づく実施環境の概略断面説明図。
【図３】図１の３−３線に基づく実施環境の概略断面説明図。
【図４】室内側から概略的見た主要部の説明図。
【図５】把手付取付け台座概略断面図（操作部材用の軸孔を含む）。
【図６】把手付取付け台座概略断面図(嵌合突起を含む)。
【図７】把手付取付け台座４の背面図。
【図８】内外の把手をプルした場合の説明図。
【図９】内外の把手のプッシュした場合の説明図。
【符号の説明】
【００３６】
Ａ…室内側、Ｂ…室外側、1…ドア、２…ドアの自由端部、２ａ…ドアの内壁、２ｂ…ドアの外壁、３…錠箱、４…内側の把手付取付け台座、５…外側の把手付取付け台座、６…幅広側壁、７…操作部材用軸孔、８…取付け孔、９…駆動片用の窓、１２…取付け台座装着用の開口部、１３…錠箱内装用の収容部、１４…戸尻部側の縁部、１５…戸先側の縁部、１６…戸尻部側の一端部、１７…戸先部側の他端部、１８…内側の把手、１９…外側の把手、１８ａ、１９ａ…基端部、１８ｂ、１９ｂ…操作端部、２０…枢軸、２１…固着具、２５…くり抜き部、２５ａ…固着具用連結部分、２５ｂ…垂直段差部分、２６…固着具用の貫通小孔、２７…貫通嵌合孔、３１…操作部材用の軸孔、３２…嵌合突起、３３…軸受け部分、３４…駆動片、４０…操作部材、４１…サムターン摘み、４２…回転操作盤、４３…サムターン軸、４４…軸受け板。
【図１】
2009144474.tif 000003
【図２】
2009144474.tif 000004
【図３】
2009144474.tif 000005
【図４】
2009144474.tif 000006
【図５】
2009144474.tif 000007
【図６】
2009144474.tif 000008
【図７】
2009144474.tif 000009
【図８】
2009144474.tif 000010
【図９】
2009144474.tif 000011